(57)【要約】【課題】コンテンツを視聴した者だけが付加情報を得ることができる技術を提供する。【解決手段】まず、コンテンツに情報埋め込む。次に、コンテンツと連動して情報抽出の指示を行う。視聴者はこの指示に従い情報抽出を行う。最後に、抽出した情報を用いてweb等へアクセスすることで、視聴者が特典を得ることができるようにする。【選択図】図１
2005151100.tif 000002
【特許請求の範囲】
【請求項１】
トリガ信号の入力を促す指示に従ってトリガ信号を入力するトリガ信号入力部と、
前記トリガ信号に応じてコンテンツから情報の抽出を行う情報抽出部を備えることを特徴とする情報抽出装置。
【請求項２】
トリガ信号の入力を促す指示が、コンテンツに含まれていることを特徴とする請求項１記載の情報抽出装置。
【請求項３】
トリガ信号の入力を促す指示が、外部印刷物に明示されていることを特徴とする請求項１記載の情報抽出装置。
【請求項４】
コンテンツ出力部を更に備え、
前記コンテンツ出力部は、コンテンツと、トリガ信号の入力を促す指示のいずれか、若しくは両方を出力することを特徴とする請求項１、２または３記載の情報抽出装置。
【請求項５】
トリガ信号の入力を促す指示は、コンテンツ出力部での画像信号による指示、コンテンツ出力部での音声信号による指示のいずれか、若しくはこれらの組み合わせを含むことを特徴とする請求項４記載の情報抽出装置。
【請求項６】
トリガ信号の入力を促す指示は、トリガ信号入力部の発光による指示、トリガ信号入力部の振動による指示のいずれか、若しくはこれらの組み合わせを含むことを特徴とする請求項１〜５のいずれか記載の情報抽出装置。
【請求項７】
トリガ信号は、情報抽出の開始を示す開始信号、情報抽出の終了を示す終了信号のいずれか、若しくは両方であることを特徴とする請求項１〜６のいずれか記載の情報抽出装置。
【請求項８】
コンテンツから抽出する情報は電子透かし情報であることを特徴とする請求項１〜７のいずれか記載の情報抽出装置。
【請求項９】
電子透かし情報が付加されたコンテンツを入力するコンテンツ入力部と、
トリガ信号を入力するトリガ信号入力部と、
コンテンツと、トリガ信号の入力を促す指示を出力するコンテンツ出力部と、
前記トリガ信号に応じてコンテンツから電子透かし情報の抽出を行う情報抽出部と
前記抽出部で抽出した電子透かし情報に応じて処理を行う情報処理部を備えることを特徴とするコンテンツ視聴確認装置。
【請求項１０】
電子透かし情報が付加されたコンテンツを入力するコンテンツ入力ステップと、
トリガ信号を入力するトリガ信号入力ステップと、
コンテンツと、トリガ信号の入力を促す指示を出力するコンテンツ出力ステップと、
前記トリガ信号に応じてコンテンツから電子透かし情報の抽出を行う情報抽出ステップと
前記抽出部で抽出した電子透かし情報に応じて処理を行う情報処理ステップを備えることを特徴とするコンテンツ視聴確認方法。
【請求項１１】
トリガ信号の入力を促す指示に従ってトリガ信号を入力するトリガ信号入力ステップと、
前記トリガ信号に応じてコンテンツから電子透かし情報の抽出を行う情報抽出ステップを備えることを特徴とする情報抽出方法。
【発明の詳細な説明】
【技術分野】
【０００１】
本発明は、コンテンツの視聴を促進する装置、及びその方法に関する。
【背景技術】
【０００２】
スポンサーが提供した映像をより多くの人に視聴してもらうため、視聴したことの特典として懸賞品が用意されている場合がある。ところが、現在の懸賞システムではコンテンツを完全に視聴せずとも懸賞への応募が可能であるため、宣伝効果が半減している。
【０００３】
図１５を用いて従来手法を説明する。
【０００４】
図１５は一つの番組の時系列を表す。従来手法では、図１５のように番組のある時点で、問い、またはキーワードが示される。視聴者は、問いの答え、またはキーワードを葉書等に記して懸賞へ応募する。
【０００５】
また、別の手法として、特開２００２−１７１４９２号公報（特許文献１）がある。
【０００６】
図１６、１７を用いて上記手法を説明する。
【０００７】
コンテンツにキーワード、またはパスワードが電子透かしとして挿入されている。まず、このコンテンツからキーワードを検出し蓄積する。そして、蓄積したキーワードを表示する（図１６）。また、双方向通信を有している場合は、自動的にキーワードを送信することもできる（図１７）。
【特許文献１】特開２００２−１７１４９２号公報
【発明の開示】
【発明が解決しようとする課題】
【０００８】
コンテンツの特定部に問いやキーワードが示される従来手法では、問いやキーワードが示される部分だけを視聴することで懸賞に応募できるため、宣伝効果が半減する。また、特許文献１記載の手法においては、キーワードを表示する場合、コンテンツ閲覧者が第三者にキーワードのみを教えると、コンテンツ閲覧者以外でも懸賞に応募することができる。特許文献１記載の手法において、コンテンツの終了が透かし検出の終了である。このため自動的にキーワードを送信する場合、検出装置を作動させた後に、その場を離れても懸賞に応募することが可能である。このように、いずれの場合においてもコンテンツを閲覧したか否かが不明であるため、宣伝効果が確実に得られるとは限らない。
【０００９】
本発明の目的は、コンテンツ中に情報を付加し、コンテンツと連動した抽出操作を行うことでコンテンツの視聴を確実にすることである。
【課題を解決するための手段】
【００１０】
第1の発明は、トリガ信号の入力を促す指示に従ってトリガ信号を入力するトリガ信号入力部と、前記トリガ信号に応じてコンテンツから情報の抽出を行う情報抽出部を備える。
【００１１】
第２の発明は、第1の発明に従属する発明であって、トリガ信号の入力を促す指示が、コンテンツに含まれていることを特徴とする。
【００１２】
上記の構成により、コンテンツと連動した検出操作ができ、検出を行っている間はコンテンツを視聴することになる。
【００１３】
第３の発明は、第１の発明に従属する発明であって、トリガ信号の入力を促す指示が、外部印刷物に明示されていることを特徴とする。
【００１４】
上記の構成により、コンテンツと連動した検出操作ができ、検出を行っている間はコンテンツを視聴することになる。
【００１５】
第４の発明は、第１または第２の発明に従属する発明であって、コンテンツ出力部を更に備え、コンテンツ出力部は、コンテンツと、トリガ信号の入力を促す指示のいずれか、若しくは両方を出力することを特徴とする。
【００１６】
検出指示を明示することで、視聴者はスムーズに抽出操作を行うことができる。
【００１７】
第５の発明は、第１、２、４の発明に従属する発明であって、トリガ信号の入力を促す指示は、コンテンツ出力部での画像信号による指示、コンテンツ出力部での音声信号による指示のいずれか、若しくはこれらの組み合わせであることを特徴とする。
【００１８】
第６の発明は、第１〜第４の発明に従属する発明であって、トリガ信号入力部の発光による指示、トリガ信号入力部の振動による指示のいずれか、若しくはこれらの組み合わせであることを特徴とする。
【００１９】
検出指示を明示することで、視聴者はスムーズに抽出操作を行うことができる。
【００２０】
第７の発明は、第１〜第６の発明に従属する発明であって、トリガ信号は、情報抽出の開始を示す開始信号、情報抽出の終了を示す終了信号のいずれか、若しくは両方であることを特徴とする。
【００２１】
視聴者が検出開始信号、終了信号を入力ことで、検出期間のコンテンツ視聴を確実にする。
【００２２】
第８の発明は、コンテンツに透かし情報を付加する情報付加部と、トリガ信号を入力するトリガ信号入力部と、コンテンツと、トリガ信号の入力を促す指示を出力するコンテンツ出力部と、前記トリガ信号に応じてコンテンツから情報の抽出を行う情報抽出部と前記抽出部で検出した情報に応じて処理を行う情報処理部を備える。
【発明の効果】
【００２３】
本発明によれば、視聴者は、コンテンツと連動した透かし検出指示に従って視聴者自身が検出操作を行うため、確実にコンテンツを視聴することになる。
【発明を実施するための最良の形態】
【００２４】
以下、図面を参照しながら、本発明の実施の形態を説明する。
【００２５】
図１は、本発明の実施の形態に係るコンテンツ視聴促進装置のブロック図である。
【００２６】
図１において、コンテンツ視聴確認装置は、情報付加部１０１とコンテンツ出力部１０２と抽出装置１Aと情報処理部１０５を備える。抽出装置１Aは、トリガ信号入力部１０３と情報抽出部１０４で構成される。情報付加部１０１における処理は、コンテンツホルダ側の装置により行われ、その他の処理は視聴者側の装置により行われる。
【００２７】
以下、図２を参照して、本発明のコンテンツ視聴確認装置について説明する。図２は、図１のコンテンツ視聴確認装置で行う処理を示すフローチャートである。
【００２８】
情報付加部１０１は、コンテンツに情報を付加する（ステップ２０１）。付加方法として、ヘッダ等のコンテンツとは別の領域に付加する方法、電子透かしとしてコンテンツ自身に付加する方法がある。後者の場合、コンテンツの先頭からL秒後（L≧0）に埋め込みを開始し、コンテンツの終了M秒前（M≧0）に埋め込みを完了する。図３のように異なる透かしの間にギャップがない場合、検出を終了するタイミングがずれると透かしの誤検出に繋がる。これを防ぐために、コンテンツとコンテンツの間にはギャップを設けること（L≠0、M≠0）が望ましい（図４）。なお、付加情報は、一つのコンテンツで完結する必要はなく、複数個のコンテンツで一つの情報を完成するように付加こともできる。また、情報は、一つのコンテンツ中に同じ情報を複数回付加ことができる。更に、一つのコンテンツ中に異なる複数個の情報を付加することもできる。
【００２９】
コンテンツ出力部１０２は、ステップ１０１で生成した情報入りコンテンツを出力する（ステップ２０２）。ここでは、コンテンツ出力部がモニタである場合を示す。この場合、トリガ信号の入力を促す指示をモニタ上に表示することができる。本実施の形態では、「検出開始」「検出終了」というテキストを表示するものとする。トリガ信号の入力を促す信号は、コンテンツに含ませることができる。含ませる方法として、コンテンツ自身に重畳する方法（図５）、コンテンツとは別のデータ領域を用意し、そこに付加する方法（図６）がある。後者の場合、入力を促す指示の表示方法は、コンテンツの表示領域を縮小したものと検出指示を表示する領域を設け、これら二つを同一画面上に表示する（図７（a））ことにより行う。または、コンテンツには変更を加えず、検出指示をコンテンツに重畳して表示することもできる（図７（ｂ））。また、モニタがトリガ信号の入力を促す指示を検出し、この信号をトリガ信号入力部に伝えることもできる。
【００３０】
トリガ信号入力部１０３は、情報抽出のためのトリガ信号を入力する（ステップ２０３）。ここでは、トリガ信号入力部がリモコンで、情報抽出の開始信号・終了信号を入力する場合を示す。コンテンツ出力部からのトリガ信号の入力を促す指示は、ボタンの点灯・点滅、リモコンの振動のいずれか、若しくはこれらの組み合わせにより視聴者に伝えられる（図８）。なお、この指示は、抽出を行う時点よりN秒前（N≧0）に行われる。これは、指示がリモコンに伝えられてからボタン押下までのタイムラグを考慮してのことである。従って、情報が含まれている箇所から確実に情報を抽出するためには、N≠0であることが望ましい。
【００３１】
情報抽出部１０４は、トリガ信号入力部１０４のトリガ信号に応じて情報の抽出を行う（ステップ１０４）（図９）。
【００３２】
情報処理部１０５は、電子透かし検出部１０４で抽出した情報に応じて制御を行う（ステップ２０５）。ここでは、情報処理部において懸賞へ応募する場合を示す。まず抽出した情報を基にwebにアクセスし懸賞への応募を行う。そして処理が完了した旨を視聴者に知らせる（図１０）。
【００３３】
本実施の形態に係るコンテンツ視聴促進装置によれば、視聴者は、コンテンツと連動したトリガ信号の入力を促す指示に従って視聴者自身が検出操作を行うため、確実にコンテンツを視聴することになる。
【００３４】
本実施の形態において、ステップ２０１において、電子透かしを付加情報とした場合は、D/A、A/D変換後でも、ステップ２０４において、情報の抽出を行うことができる。また、コンテンツの全てのフレームに電子透かしを付加しておくと、早送り等でフレームが間引かれた場合、情報を抽出できないようにすることも可能である（図１１）。
【００３５】
本実施の形態では、ステップ２０２において、出力部をモニタとしたが、これに限定されるものではない。コンテンツがオーディオ信号のみの場合、出力部はオーディオ機器にすることができる。
【００３６】
本実施の形態では、ステップ２０２において、トリガ信号の入力を促す指示をモニタに表示、ステップ２０３において、トリガ信号の入力を促す指示をリモコンの点灯・点滅・振動としたが、これに限定されるものではない。新聞等の外部印刷物に、トリガ信号を入力する指示を予告しておくこともできる。
【００３７】
本実施の形態では、ステップ２０３において、トリガ信号の入力をリモコンで行ったが、これに限定されるものではない。音声、ジェスチャにより行うこともできる。
【００３８】
本実施の形態では、ステップ２０３において、トリガ信号として検出開始・検出終了信号を出力したが、これに限定されるものではない。所定のタイミングでトリガ信号を入力し、これが正しい場合にステップ２０４で４において情報の抽出を行う（図１２）。図１２では全てのタイミングで正しく押下された場合に情報の抽出をおこなう場合を示したが、正しく押下された回数が所定の閾値より多い場合に情報の抽出を行なうようにしてもよい。
【００３９】
本実施の形態では、ステップ２０３において、トリガ信号として検出開始・検出終了信号を出力したが、これに限定されるものではない。情報抽出位置の指定（図１３）、抽出する情報の選択制御（図１４）をトリガ信号として利用することもできる。その場合、モニタには、抽出位置の指定、抽出情報の選択を促すテキスト等を表示しても良い。
【００４０】
本実施の形態において、ステップ２０５において、webにアクセスし懸賞へ応募したが、これに限定されるものではない。専用申込み用紙の出力、クーポンの出力、携帯端末へ透かし情報の転送を行うこともできる。また、情報抽出の成否、情報の抽出率を表示することもできる。
【００４１】
本実施の形態では、ステップ２０１において、パスワード、ID、URL、EPG等の番組情報、Java（登録商標）等のプログラム、画像情報、オーディオ情報を付加情報にすることができる。パスワード、ID、URLは、web等へアクセスするときの情報として利用できる。EPG等の番組情報、Java（登録商標）等のプログラム、画像情報、オーディオ情報は、コンテンツを視聴したことの特典として利用できる。
【産業上の利用可能性】
【００４２】
CM等のコンテンツ中に情報を付加し、コンテンツと連動して付加情報の抽出を行うことでコンテンツの視聴を確実にすることができる。
【図面の簡単な説明】
【００４３】
【図１】本発明における実施の形態に係るコンテンツ視聴確認装置の構成を示すブロック図
【図２】図１のコンテンツ視聴確認装置で行う処理を示すフローチャート
【図３】誤ったタイミングでの透かし検出を説明するための図
【図４】正しいタイミングでの透かし検出を説明するための図
【図５】コンテンツに検出指示が付加された場合を説明するための図
【図６】コンテンツと検出指示別データの場合を説明するための図
【図７】（ａ）画面を分割した指示表示を説明するための図（ｂ）コンテンツと指示信号の重畳表示を説明するための図
【図８】コンテンツと連動した検出指示を説明するための図
【図９】トリガ信号と情報抽出を説明するための図
【図１０】透かし信号制御部を説明するための図
【図１１】通常再生と早送り再生の情報抽出を説明するための図
【図１２】トリガ信号と情報抽出を説明するための図
【図１３】検出位置の指定を説明するための図
【図１４】検出する透かしの選択を説明するための図
【図１５】従来手法を説明するための図
【図１６】特許文献１を説明するための図
【図１７】特許文献１を説明するための図
【符号の説明】
【００４４】
１A    抽出装置
１０１    情報付加部
１０２    コンテンツ出力部
１０３    トリガ信号入力部
１０４    情報抽出部
１０５    情報処理部
【図１】
2005151100.tif 000003
【図２】
2005151100.tif 000004
【図３】
2005151100.tif 000005
【図４】
2005151100.tif 000006
【図５】
2005151100.tif 000007
【図６】
2005151100.tif 000008
【図７】
2005151100.tif 000009
【図８】
2005151100.tif 000010
【図９】
2005151100.tif 000011
【図１０】
2005151100.tif 000012
【図１１】
2005151100.tif 000013
【図１２】
2005151100.tif 000014
【図１３】
2005151100.tif 000015
【図１４】
2005151100.tif 000016
【図１５】
2005151100.tif 000017
【図１６】
2005151100.tif 000018
【図１７】
2005151100.tif 000019